(57)【要約】【課題】電動ベッドとして、ボトムの稼働機能を連動させる連結棒に調整機能を加えることにより、利用者の望む電動ベッドの起伏動作を提供すること。【解決手段】第1ボトム〜第4ボトムを有する起伏式ベッドについて、該第1ボトムの下方に背部ローラーを備えた背部アームを設け、該第3ボトムの下方に脚部ローラーを備えた脚部アームを設け、該連結リンクと該背部アームをスライドピンによって滑動自在に連結し、アクチュエーターと背部アームを回動自在に連結し、該背部アームと該脚部アームを連結リンクにより回動自在に連結し、スライドピンが滑動自在なスライド長穴を連結リンクに設け、さらにアクチュエーターの伸縮動作がスライドピンに連結された背部アームや連結リンクに伝えられ、脚上げ角度調整の位置で制御できるような構造を起伏ベッドに与えることである。【選択図】図1
2014012054.tif 000002
【特許請求の範囲】
【請求項１】
人体を支える電動ベッドフレームはヘッドボード側からフッドボード側へ順に第1ボトム〜第4ボトムを有する起伏式ベッドについて、該第1ボトムの下方に背部ローラーを備えた背部アームを設け、該第3ボトムの下方に脚部ローラーを備えた脚部アームを設け、該連結リンクと該背部アームをスライドピンによって滑動自在に連結し、アクチュエーターと背部アームを回動自在に連結し、該背部アームと該脚部アームを連結リンクにより回動自在に連結し、スライドピンが滑動自在なスライド長穴を連結リンクに設け、さらにアクチュエーターの伸縮動作がスライドピンに連結された背部アームや連結リンクに伝えられ、脚上げ角度調整の位置で制御できるような構造を特徴とする起伏ベッドである。
【請求項２】
該第3ボトムには該脚部ローラーを介して上下動作をコントロールできるようなカムを設けたことを特徴とした請求項１記載の起伏ベッド
【請求項３】
該第1ボトムの端部に設けたスライドローラーが該フレームに設けたスライドレールを移動することによって、回動中心点が移動し、第1ボトムが上昇しながらヘッドボード側にスライドする機構を設けたことを特徴とした請求項２記載の起伏ベッド
【発明の詳細な説明】
【技術分野】
【０００１】
本発明は、従来存在している1モーターの起伏ベッドの改良に関するものであり、病院治療用ベッド、家庭用リクライニングベッド等に利用される。
【背景技術】
【０００２】
従来の起伏式ベッド装置として、実公平6−6770号公報に示すようなものがあり、背部側から脚部側に向かって連結した第１〜４の床板を有する起伏式ベッド装置において、頭部側の前記第１の床板に支持腕を設け、前記第３の床板にカム部材を設けると共に、その下方に該カム部材と係合するローラを備えた回転腕を設け、前記支持腕と該回転腕とを連結杆によって連結されており、頭部側の第１の床板の起伏角度が約７５度になっても、利用者が圧迫感を感じることなく快適に利用できるようにすることを、目的とした起伏式ベッドがあった。
【０００３】
しかしながら、このような連結杆を使用することによって、利用者が足を動かしたくない場合でも否応なしに、第1床板と第3・第4床板が連動して足が動いてしまう。特に利用者の多くは足腰が弱ってきているお年寄りの割合が高く、転倒事故で足を骨折してしまった等の事態が考えられ、起伏時に必ず足を動かさなければならない起伏式ベッドでは、骨折した足を動かしてしまうと言う問題を抱えていた。
【先行技術文献】
【特許文献】
【０００４】
【特許文献１】実公平6−6770号公報
【発明の概要】
【発明が解決しようとする課題】
【０００５】
電動ベッドとして、ボトムの稼働機能を連動させる連結棒に調整機能を加えることにより、利用者の望む電動ベッドの起伏動作を提供することにある。
【課題を解決するための手段】
【０００６】
請求項1の発明は、人体を支える電動ベッドフレーム(3)はヘッドボード(1)側からフッドボード(2)側へ順に第1ボトム(4)〜第4ボトム(7)を有する起伏式ベッドについて、該第1ボトム(4)の下方に背部ローラー(19)を備えた背部アーム(18)を設け、該第3ボトム(6)の下方に脚部ローラー(16)を備えた脚部アーム(15)を設け、該連結リンク(13)と該背部アーム(18)をスライドピン(11)によって滑動自在に連結し、アクチュエーター(22)と背部アーム(18)を回動自在に連結し、該背部アーム(18)と該脚部アーム(15)を連結リンク(13)により回動自在に連結し、スライドピン(11)が滑動自在なスライド長穴(12)を連結リンク(13)に設け、さらにアクチュエーター(22)の伸縮動作がスライドピン(11)に連結された背部アーム(18)や連結リンク(13)に伝えられ、脚上げ角度調整(8)の位置で制御できるような構造を特徴とする起伏ベッドである。
【０００７】
請求項２の発明は、該第3ボトム(6)には該脚部ローラー(16)を介して上下動作をコントロールできるような脚上げカム(8)を設けたことを特徴とした請求項１記載の起伏ベッドである。
【０００８】
請求項３の発明は、該第1ボトム(4)の端部に設けたスライドローラー(20)を滑動させるため該電動ベッドフレーム(3)にスライドレール(21) を設け、第1ボトム(4)がスライドローラー(20)を中心に回動しながらヘッドボード側にスライドする機構を設けたことを特徴とした請求項２記載の起伏ベッドである。
【発明の効果】
【０００９】
本発明は、該第1ボトム(4)の下方に背部ローラー(19)を備えた背部アーム(18)を設け、該第3ボトム(6)の下方に脚部ローラー(16)を備えた脚部アーム(15)を設け、該連結リンク(13)と該背部アーム(18)をスライドピン(11)によって滑動自在に連結し、アクチュエーター(22)と背部アーム(18)を回動自在に連結し、該背部アーム(18)と該脚部アーム(15)を連結リンク(13)により回動自在に連結し、スライドピン(11)が滑動自在なスライド長穴(12)を連結リンク(13)に設け、さらにアクチュエーター(22)の伸縮動作がスライドピン(11)に連結された背部アーム(18)や連結リンク(13)に伝えられ、脚上げ角度調整(8)の位置で制御できるような構造により利用者の好みに合ったボトムの起伏動作を行わせることができる。
また第3ボトム(6)には該脚部ローラー(16)を介して上下動作をコントロールできるような脚上げカム(8)を設けていることで、該脚上げカム(8)の形状を任意に変更することでより細かく利用者の望む脚の起伏動作を実現させることが可能となる。
更に、スライドローラー(20)を滑動させるため該電動ベッドフレーム(3)にスライドレール(21)を設け、第1ボトム(4)がスライドローラー(20)を中心に回動しながらヘッドボード側にスライドする機構を設けたことにより、該第1ボトム(4)の回動時にボトムに乗せられるマットレスによってもたらされる腹部への圧迫感を軽減させる。
【図面の簡単な説明】
【００１０】
【図１】図１は、一実施例における、本発明の断面図である。
【図２】図2は、一実施例における、固定ピン(10)によって脚上げ角度調整棒(9)をAの位置で固定したときの電動ベッドの起伏動作の流れを示し、アクチュエーター(22)が伸張前の段階の断面図である。
【図３】図3は、一実施例における、固定ピン(10)によって脚上げ角度調整棒(9)をAの位置で固定したときの電動ベッドの起伏動作の流れを示し、アクチュエーター(22)が伸張し、背部ローラー(19)が第1ボトム(4)に接触した段階の断面図である。
【図４】図4は、一実施例における、固定ピン(10)によって脚上げ角度調整棒(9)をAの位置で固定したときの電動ベッドの起伏動作の流れを示し、アクチュエーター(22)の伸張始まって10秒経過後の段階の断面図である。
【図５】図5は、一実施例における、固定ピン(10)によって脚上げ角度調整棒(9)をAの位置で固定したときの電動ベッドの起伏動作の流れを示し、アクチュエーター(22)の伸張が終了した段階の断面図である。
【図６】図6は、一実施例における、固定ピン(10)によって脚上げ角度調整棒(9)をBの位置で固定したときの電動ベッドの起伏動作の流れを示し、アクチュエーター(22)が伸張前の段階の断面図である。
【図７】図7は、一実施例における、固定ピン(10)によって脚上げ角度調整棒(9)をBの位置で固定したときの電動ベッドの起伏動作の流れを示し、アクチュエーター(22)が伸張し、背部ローラー(19)が第1ボトム(4)に接触した段階の断面図である。
【図８】図8は、一実施例における、固定ピン(10)によって脚上げ角度調整棒(9)をBの位置で固定したときの電動ベッドの起伏動作の流れを示し、アクチュエーター(22)の伸張始まって10秒経過後の段階の断面図である。
【図９】図9は、一実施例における、固定ピン(10)によって脚上げ角度調整棒(9)をBの位置で固定したときの電動ベッドの起伏動作の流れを示し、アクチュエーター(22)の伸張が終了した段階の断面図である。
【図１０】図10は、一実施例における、固定ピン(10)によって脚上げ角度調整棒(9)をCの位置で固定したときの電動ベッドの起伏動作の流れを示し、アクチュエーター(22)が伸張前の段階の断面図である。
【図１１】図11は、一実施例における、固定ピン(10)によって脚上げ角度調整棒(9)をCの位置で固定したときの電動ベッドの起伏動作の流れを示し、アクチュエーター(22)の伸張始まって10秒経過後の段階の断面図である。
【図１２】図12は、一実施例における、固定ピン(10)によって脚上げ角度調整棒(9)をCの位置で固定したときの電動ベッドの起伏動作の流れを示し、アクチュエーター(22)の伸張が終了した段階の断面図である。
【図１３】図13は、一実施例における、脚上げカム(8)の形状をカムXとしたときの電動ベッドの起伏動作の流れを示し、アクチュエーター(22)が伸張し、背部ローラー(19)が第1ボトム(4)に接触した段階の断面図である。
【図１４】図14は、一実施例における、脚上げカム(8)の形状をカムXとしたときの電動ベッドの起伏動作の流れを示し、アクチュエーター(22)の伸張始まって10秒経過後の段階の断面図である。
【図１５】図15は、一実施例における、脚上げカム(8)の形状をカムXとしたときの電動ベッドの起伏動作の流れを示し、アクチュエーター(22)の伸張が終了した段階の断面図である。
【発明を実施するための形態】
【００１１】
電動ベッドとして、該第1ボトム(4)の下方に背部ローラー(19)を備えた背部アーム(18)を設け、該第3ボトム(6)の下方に脚部ローラー(16)を備えた脚部アーム(15)を設け、該連結リンク(13)と該背部アーム(18)をスライドピン(11)によって滑動自在に連結し、アクチュエーター(22)と背部アーム(18)を回動自在に連結し、該背部アーム(18)と該脚部アーム(15)を連結リンク(13)により回動自在に連結し、スライドピン(11)が滑動自在なスライド長穴(12)を連結リンク(13)に設け、さらにアクチュエーター(22)の伸縮動作がスライドピン(11)に連結された背部アーム(18)や連結リンク(13)に伝えられ、脚上げ角度調整(8)の位置で制御できるような構造により利用者の好みに合ったボトムの起伏動作を行わせ、また第3ボトム(6)には該脚部ローラー(16)を介して上下動作をコントロールできるような脚上げカム(8)を設けていることで、該脚上げカム(8)の形状を任意に変更することでより細かく利用者の望む脚の起伏動作を実現させることが可能となり、スライドローラー(20)を滑動させるため該電動ベッドフレーム(3)にスライドレール(21)を設け、第1ボトム(4)がスライドローラー(20)を中心に回動しながらヘッドボード(1)側にスライドする機構を設けたことにより、該第1ボトム(4)の回動時にボトムに乗せられるマットレスによってもたらされる腹部への圧迫感を軽減させることができるので利用者に使い易い電動ベッドとした。
【実施例１】
【００１２】
図1、一実施例を示す。連結リンク(13)をパイプとし、貫通させるスライド長穴(11)を設け、脚上げ角度調節棒(9)を連結リンク(13)内に入れ、スライド長穴(11)の空間を足上げ角度調節棒(9)を出し入れ自在の状態とし、脚上げ角度調節棒(9)と連結リンク(13)を貫通させる固定ピン(10)を設けている。
また第1ボトム(4)の端部に取り付けられたスライドローラー(20)が電動ベッドフレーム(3)に設けられたスライドレール(21)に滑動自在で取り付けられ、さらに第1ボトム(4)と電動ベッドフレーム(3)はボトム固定リンク(23)により回動自在に取り付けられている。フットボード(2)側の連結リンク(13)端部には脚部アーム(15)が電動ベッドフレーム(3)の間に回動自在に設けられた脚部回転軸(14)を中心に回動自在に取り付けられ脚部アーム(15)の端部に脚部ローラー(16)が設けられている。起伏動作を行うために第3ボトム(6）には脚上げカム(8)を設けている。
【００１３】
以降図を用いて各部動作は図を用いて説明する。
図2、固定ピン(10)によって脚上げ角度調整棒(9)をAの位置で固定したときの電動ベッドのアクチュエーター(22)が伸張前の段階。
【００１４】
図3、アクチュエーター(22)が伸張して、スライドピン(11)によって回動自在に連結された背部アーム(18)は電動ベッドフレーム(3)の間に回動自在に設けられた背部回転軸(17)を中心に反時計回りに回動する。同時にアクチュエーター(22)の伸張は固定されている脚上げ角度調整棒(9)によってスライド長穴(12)をスライドピン(11)がほとんど滑動できない状態で連結リンク(13)を押し、連結リンク(13)がヘッドボード(1)側へ押されて回動自在に連結されている脚部アーム(15)も電動ベッドフレーム(3)の間に回動自在に設けられた脚部回転軸(14)を中心に反時計回りに回動し、それぞれ先端についている背部ローラー(19)と脚部ローラー(16)によって第1ボトム(4)と脚上げカム(8)を押上げる。
【００１５】
図4、アクチュエーターの伸張が開始から10秒経過後、背部ローラー(19)によって押上げられる第1ボトム(4)はボトム固定リンク(23)によって電動ベッドフレーム(3)と接続され、同じく電動ベッドフレーム(3)に設けられているスライドレール(21)の内部をスライドローラー(20)が滑動しながら回動中心に回転する。同様に脚部ローラー(16)によって第3ボトム(6)に取り付けられている脚上げカム(8)が持ち上げられていたが脚部ローラー(16)が脚上げカム(8)の山を超えるので、これ以降アクチュエーター(22)が伸張するにしたがって第3ボトム(6)は下降する。
【００１６】
図5、アクチュエーター(22)が伸張しきった時に、背部ローラー(19)に押され続けた第1ボトム(4)は約70度の角度で起き上がり、スライドレール(21)内のスライドローラー(20)はヘッドボード(1)側に滑動して寄り切った状態となる。背部ローラー(19)と連動して稼働していた脚部ローラー(16)は脚上げカム(8)乗り越え、第3ボトム(6)は初期の水平な状態へ戻りきっている。
【００１７】
脚上げ角度調整棒(9)の固定位置をAとしてスライド長穴(12)内のスライドピン(11)の滑動範囲を無くしてしまうことによって第3ボトム(6)の回動開始時期を第1ボトム(4)と同期させ、利用者の脚部を最大限持ち上げることができる。
【実施例２】
【００１８】
図6、固定ピン(10)によって脚上げ角度調整棒(9)をBの位置で固定したときの電動ベッドのアクチュエーター(22)が伸張前の段階。
【００１９】
図7、アクチュエーター(22)が伸張して、スライドピン(11)によって回動自在に連結された背部アーム(18)は電動ベッドフレーム(3)の間に回動自在に設けられた背部回転軸(17)を中心に反時計回りに回動する。同時にアクチュエーター(22)の伸張は固定されている脚上げ角度調整棒(9)によってスライドピン(11)がスライド長穴(12)の半分だけ滑動する。スライドピン(11)がスライド長穴(12)の中を滑動する間は脚上げ角度調節棒(9)が固定されている連結リンク(13)は押されず、スライドピン(11)活動範囲が半分を超えると、連結リンク(13)がヘッドボード(1)側へ押されて回動自在に連結されている脚部アーム(15)も電動ベッドフレーム(3)の間に回動自在に設けられた脚部回転軸(14)を中心に反時計回りに回動し、それぞれ先端についている背部ローラー(19)と脚部ローラー(16)によって第1ボトム(4)と脚上げカム(8)を押し上げる。
【００２０】
図8、アクチュエーターの伸張が開始から10秒経過後、背部ローラー(19)によって押上げられる第1ボトム(4)はボトム固定リンク(23)によって電動ベッドフレーム(3)と接続され、同じく電動ベッドフレーム(3)に設けられているスライドレール(21)の内部をスライドローラー(20)が滑動しながら回動中心に回転する。同様に脚部ローラー(16)によって第3ボトム(6)に取り付けられている脚上げカム(8)が持ち上げられていたが脚部ローラー(16)が脚上げカム(8)の山を超えるので、これ以降アクチュエーター(22)が伸張するにしたがって第3ボトム(6)は下降する。
【００２１】
図9、アクチュエーター(22)が伸張しきった時に、背部ローラー(19)に押され続けた第1ボトム(4)は約70度の角度で起き上がり、スライドレール(21)内のスライドローラー(20)はヘッドボード(1)側に滑動して寄り切った状態となる。背部ローラー(19)と連動して稼働していた脚部ローラー(16)は脚上げカム(8)乗り越え、第3ボトム(6)は初期の水平な状態へ戻りきっている。
【００２２】
脚上げ角度調整棒(9)の固定位置をA＜Bとしてスライドピン(11)の滑動範囲をスライド長穴(12)の半分としたとき、第3ボトム(6)の回動開始時期を第1ボトム(4)よりも遅延させ、利用者の脚部持ち上げ量を固定位置Aよりも下げることができる。
【実施例３】
【００２３】
図10、固定ピン(10)によって脚上げ角度調整棒(9)をCの位置で固定したときの電動ベッドのアクチュエーター(22)が伸張前の段階。
【００２４】
図11、アクチュエーター(22)が伸張して、スライドピン(11)によって回動自在に連結された背部アーム(18)は電動ベッドフレーム(3)の間に回動自在に設けられた背部回転軸(17)を中心に反時計回りに回動する。同時にアクチュエーター(22)の伸張は固定されている脚上げ角度調整棒(9)によってスライドピン(11)がスライド長穴(12)の分だけ滑動する。スライドピン(11)が脚上げ角度調節棒(9)が固定されている連結リンク(13)を押すことはなく、連結されている脚部アーム(15)は全く稼働しない。アクチュエーター(22)の伸張が開始から10秒経過後、背部ローラー(19)によって押上げられる第1ボトム(4)はボトム固定リンク(23)によって電動ベッドフレーム(3)と接続され、同じく電動ベッドフレーム(3)に設けられているスライドレール(21)の内部をスライドローラー(20)が滑動しながら回動中心に回転する。
【００２５】
図12、アクチュエーター(22)が伸張しきった時に、背部ローラー(19)に押され続けた第1ボトム(4)は約70度の角度で起き上がり、スライドレール(21)内のスライドローラー(20)はヘッドボード(1)側に滑動して寄り切った状態となる。
【００２６】
脚上げ角度調整棒(9)の固定位置をB<Cとしてスライドピン(11)の滑動範囲をスライド長穴(12)の全体としたとき、第3ボトム(6)は全く回動することなく、利用者の脚部を全く持ち上げなくできる。
【実施例４】
【００２７】
図13、脚上げカム(8)の形状を山形のカムからカムXのような形状に変更したときの本発明の電動ベッドである。アクチュエーター(22)が伸張して、スライドピン(11)によって回動自在に連結された背部アーム(18)は電動ベッドフレーム(3)の間に回動自在に設けられた背部回転軸(17)を中心に反時計回りに回動する。同時にスライドピン(11)が脚上げ角度調節棒(9)が固定されている連結リンク(13)を押し、回動自在に連結されている脚上げアーム(15)は脚部ローラー(16)によって第3ボトム(6)に取り付けられているカムXを押上げる。
【００２８】
図14、アクチュエーター(22)の伸張が開始から10秒経過後、背部ローラー(19)によって押上げられる第1ボトム(4)は、ボトム固定リンク(23)によって電動ベッドフレーム(3)と接続され、同じく電動ベッドフレーム(3)に設けられているスライドレール(21)の内部をスライドローラー(20)が滑動しながら回動中心に回転する。同様に脚部ローラー(16)によって第3ボトム(6)に取り付けられているカムXが持ち上げられ、利用者の脚部持ち上げ量が最大の状態となる。
【００２９】
図15、アクチュエーター(22)が伸張しきった時に、背部ローラー(19)に押され続けた第1ボトム(4)は約70度の角度で起き上がり、スライドレール(21)内のスライドローラー(20)はヘッドボード(1)側に滑動して寄り切った状態となる。背部ローラー(19)と連動して稼働していた脚部ローラー(16)はカムXの形状により、第3ボトム(6) の脚部持ち上げ量が最大の状態となり続ける。
【００３０】
脚部ローラー(16)がカムXを添うように回動するためにカムXの形状のようなカムの場合、半月カムの場合とは違い、脚部アーム(15)が鉛直の位置を超えても第3ボトム(6)は水平に戻ることはない。
【産業上の利用可能性】
【００３１】
本発明は、病院治療用ベッド、家庭用リクライニングベッド等にも適用できる。
本発明のものは、屈曲部を有するソファーベッドやリクライニングチェアーのクッション構造体にも適用できる。
【符号の説明】
【００３２】
1            ヘッドボード
2            フッドボード
3            電動ベッドフレーム
4            第1ボトム
5            第2ボトム
6            第3ボトム
7            第4ボトム
8            脚上げカム
9            脚上げ角度調整棒
10          固定ピン
11          スライドピン
12          スライド長穴
13          連結リンク
14          脚部回転軸
15          脚部アーム
16          脚部ローラー
17          背部回転軸
18          背部アーム
19          背部ローラー
20          スライドローラー
21          スライドレール
22          アクチュエーター
23          ボトム固定リンク
【図１】
2014012054.tif 000003
【図２】
2014012054.tif 000004
【図３】
2014012054.tif 000005
【図４】
2014012054.tif 000006
【図５】
2014012054.tif 000007
【図６】
2014012054.tif 000008
【図７】
2014012054.tif 000009
【図８】
2014012054.tif 000010
【図９】
2014012054.tif 000011
【図１０】
2014012054.tif 000012
【図１１】
2014012054.tif 000013
【図１２】
2014012054.tif 000014
【図１３】
2014012054.tif 000015
【図１４】
2014012054.tif 000016
【図１５】
2014012054.tif 000017